(57)【特許請求の範囲】
【請求項１】
外装体と、該外装体の内側に固定されている吸収性本体とを具備し、前記外装体は装着時に着用者の腹側に配される腹側部と装着時に着用者の背側に配される背側部とを有し、前記腹側部及び前記背側部それぞれの両側縁部が接合され、一対のサイドシール部が形成されるとともに、ウエスト開口部及び一対のレッグ開口部が形成されたパンツ型吸収性物品であって、
一対の前記サイドシール部それぞれは、前記パンツ型吸収性物品の縦方向に間欠的に形成された複数の接合部を有し、
複数の前記接合部は、前記パンツ型吸収性物品の横方向に対する傾斜角度が前記ウエスト開口部側よりも前記レッグ開口部側の方が大きいパターンで、且つ最も前記ウエスト開口部寄りの前記接合部が前記パンツ型吸収性物品の横方向に略平行なパターンで配されており、
複数の前記接合部における前記傾斜角度は、前記ウエスト開口部側から前記レッグ開口部側に向かって、漸次大きくなるように形成されているか、又は、段階的に大きくなるように形成されているパンツ型吸収性物品。
【請求項２】
複数の前記接合部は、前記傾斜角度が前記ウエスト開口部側から前記レッグ開口部側に向かって次第に連続して大きくなるパターンで配されている請求項１に記載のパンツ型吸収性物品。
【請求項３】
前記ウエスト開口部側に前記パンツ型吸収性物品の横方向に延びる複数のウエスト弾性部材を有し、
最も前記ウエスト開口部寄りの前記接合部が、最も前記ウエスト開口部寄りの前記ウエスト弾性部材と平行に配されている請求項１又は２に記載のパンツ型吸収性物品。
【請求項４】
前記レッグ開口部側に該レッグ開口部に沿って延びる複数のレッグ弾性部材を有し、
前記レッグ開口部側の前記接合部が、複数の前記レッグ弾性部材と交差するように配されている請求項１〜３の何れか１項に記載のパンツ型吸収性物品。
【請求項５】
複数の前記接合部は、前記パンツ型吸収性物品の横方向内方側の端部が、前記ウエスト開口部側から前記レッグ開口部側に向かって、前記パンツ型吸収性物品の縦方向に対して横方向外方に広がるように傾斜した仮想直線上に並んでいる請求項１〜４の何れか１項に記載のパンツ型吸収性物品。
【請求項６】
複数の前記接合部は、それぞれ、同じ面積の三角形状である請求項１〜５の何れか１項に記載のパンツ型吸収性物品。
【請求項７】
前記外装体は、ポリプロピレン製の不織布を用いて形成されている請求項１〜６の何れか１項に記載のパンツ型吸収性物品。
【請求項８】
複数の前記接合部は、それぞれ、超音波シールを用いて形成されている請求項１〜７の何れか１項に記載のパンツ型吸収性物品。
【発明の詳細な説明】
【技術分野】
【０００１】
本発明は、パンツ型吸収性物品に関する。
【背景技術】
【０００２】
従来、パンツ型使い捨ておむつ等のパンツ型吸収性物品におけるサイドシール部の接合部について、様々なパターンが知られている。
例えば、特許文献１に記載のパンツ型の使い捨ておむつにおけるサイドシール部は、間欠的に配された複数の接合線により形成されており、複数の接合線の一部が、使い捨ておむつの横方向の内方から外方に向かうに従って上昇するように傾斜して設けられている。
また、特許文献２に記載のパンツ型の使い捨ておむつにおけるサイドシール部は、間欠的に配された複数の接合部が、互いに平行に、吸収性物品の横方向の内方から外方に向かうに従って下降するように一方向に傾斜している。
【先行技術文献】
【特許文献】
【０００３】
【特許文献１】特開平５−１５５５１号公報
【特許文献２】特開２００２−１０２２８３号公報
【発明の概要】
【発明が解決しようとする課題】
【０００４】
通常、パンツ型使い捨ておむつ等のパンツ型吸収性物品は、廃棄する目的で脱がす際には、サイドシール部をおむつ縦方向に引き裂く。その際、サイドシール部を構成する接合部の配置パターンによっては、シートの裂け目が横方向に進んで、該シートの裂け目が、サイドシール部よりもおむつの内側部分に及んだり、おむつの側縁に達してしまい途中で途切れてしまう場合がある。このような横裂けが生じると、サイドシール部をおむつ縦方向に連続してスムーズに引き裂くことが難しくなり、例えば、使用者は、再び縦方向にサイドシール部を引き裂くように力を入れ直さなければならず、サイドシール部を破断するのに手間が掛かってしまう。
【０００５】
特許文献１におけるサイドシール部においては、構成する複数の接合線の一部が、横方向の内方から外方に向かうに従って上昇するように傾斜して設けられている。そのため、廃棄する目的で脱がす際に、サイドシール部を引き裂くと、上昇する接合線に沿って裂かれ易くなり、横裂けが生じ易く、サイドシール部を破断するのに手間が掛かってしまう。
また、特許文献２におけるサイドシール部においては、複数の接合部が、均一な角度で、互いに平行に設けられている。そのため、特許文献２のサイドシール部においても、サイドシール部を引き裂く際に、横裂けが起こる懸念がある。
【０００６】
従って、本発明の課題は、廃棄する目的でサイドシール部を引き裂いて脱がす際に、サイドシール部を容易に縦方向に連続して引き裂くことができるパンツ型吸収性物品を提供することにある。
【課題を解決するための手段】
【０００７】
本発明は、外装体と、該外装体の内側に固定されている吸収性本体とを具備し、前記外装体は装着時に着用者の腹側に配される腹側部と装着時に着用者の背側に配される背側部とを有し、前記腹側部及び前記背側部それぞれの両側縁部が接合され、一対のサイドシール部が形成されるとともに、ウエスト開口部及び一対のレッグ開口部が形成されたパンツ型吸収性物品であって、一対の前記サイドシール部それぞれは、前記パンツ型吸収性物品の縦方向に間欠的に形成された複数の接合部を有し、複数の前記接合部は、前記パンツ型吸収性物品の横方向に対する傾斜角度が前記ウエスト開口部側よりも前記レッグ開口部側の方が大きいパターンで、且つ最も前記ウエスト開口部寄りの前記接合部が前記パンツ型吸収性物品の横方向に略平行なパターンで配されているパンツ型吸収性物品を提供するものである。
【発明の効果】
【０００８】
本発明のパンツ型吸収性物品は、廃棄する目的でサイドシール部を引き裂いて脱がす際に、サイドシール部を容易に縦方向に連続して引き裂くことができる。
【図面の簡単な説明】
【０００９】
【図１】図１は、本発明の第１実施形態であるパンツ型使い捨ておむつを示す斜視図である。
【図２】図２は、図１に示す使い捨ておむつのサイドシール部のシールパターンを示す平面図である。
【図３】図３は、図１に示すＩ−Ｉ線断面図である。
【図４】図４は、本発明の第２実施形態の使い捨ておむつにおけるサイドシール部を示す平面図である（図２相当図）。
【図５】図５は、本発明の第３実施形態の使い捨ておむつにおけるサイドシール部を示す平面図である（図２相当図）。
【発明を実施するための形態】
【００１０】
以下に、本発明のパンツ型吸収性物品をその好ましい実施形態に基づき図面を参照しながら説明する。図１には本発明のパンツ型吸収性物品の一実施形態であるパンツ型使い捨ておむつの斜視図が示されており、図２には図１に示す使い捨ておむつのサイドシール部のシールパターンを示す平面図が示されている。また、図３には図１に示すＩ−Ｉ線断面図が示されている。
【００１１】
本発明の第１実施形態であるパンツ型使い捨ておむつ１Ａ（以下、おむつ１Ａともいう）は、外装体２と、外装体２の内側に固定されている吸収性本体３とを具備している。おむつ１Ａの外装体２は、装着時に着用者の腹側に配される腹側部Ａと装着時に着用者の背側に配される背側部Ｂとを有している。また、おむつ１Ａの外装体２は、腹側部Ａと背側部Ｂとの間に位置して、着用時に着用者の股間部に配される股下部Ｃも有している。
【００１２】
おむつ１Ａは、腹側部Ａと背側部Ｂとの間を、股下部Ｃを介して延びる縦方向と縦方向に直交する横方向とを有している。各図中に示すＸ方向が縦方向であり、各図中に示すＹ方向が横方向である。おむつ１Ａの縦方向Ｘは、腹側部Ａ及び背側部Ｂにおいて、着用時の上下方向であるため、腹側部Ａ及び背側部Ｂそれぞれにおけるウエスト開口部ＷＯ側を上側（又は上方）、股下部Ｃ側を下側（又は下方）ともいう。
また、本明細書において、「肌対向面」とは、吸収性本体３などの各部材の表裏両面のうち、着用時に着用者の肌側に配される面であり、「非肌対向面」とは、吸収性本体３などの各部材の表裏両面のうち、着用時に着用者の肌側とは反対側に向けられる面である。
【００１３】
おむつ１Ａは、外装体２の腹側部Ａ及び背側部Ｂそれぞれの両側縁部が接合され、一対のサイドシール部Ｓ，Ｓが形成されるとともに、ウエスト開口部ＷＯ及び一対のレッグ開口部ＬＯ，ＬＯが形成されている。具体的には、おむつ１Ａは、図１に示すように、外装体２の腹側部Ａの両側部と外装体２の背側部Ｂの両側部とが合掌状に接合されて形成された一対のサイドシール部Ｓ，Ｓを有している。各サイドシール部Ｓは、おむつ縦方向Ｘに延びており、ウエスト開口部ＷＯの周縁部Ｗｅからレッグ開口部ＬＯの周縁部Ｌｅに亘っている。
【００１４】
一対のサイドシール部Ｓ，Ｓそれぞれは、図１，図２に示すように、縦方向Ｘに間欠的に形成された複数の接合部５を有している。接合部５は、おむつ縦方向Ｘに間隔を置いて配されており、おむつ１Ａにおいては、長方形状の同形同大の複数の接合部５が、サイドシール部Ｓの縦方向Ｘの略全長に亘って等間隔に配されている。
【００１５】
接合部５は、外装体２の腹側部Ａ及び背側部Ｂそれぞれの側部どうしを重ねて、例えば超音波や熱をかけて融着させる際に、超音波シールや熱シールを施す凸部によって加圧されて形成されており、該凸部に対応する形状の凹部として、おむつ１Ａの外観に現れている。おむつ１Ａにおける複数の接合部５は、それぞれ、超音波シールを用いて形成されており、図２に示すパターンで配された接合部５が、腹側部Ａ及び背側部Ｂの両方に現れている。サイドシール部Ｓは、接合部５を生じさせる加工によって、重ね合わせた背側部Ｂ及び腹側部Ａの側部の所定幅の領域が接合されて形成されている。おむつ１Ａにおいては、図２に示すように、各サイドシール部Ｓは、背側部Ｂから見た一対のサイドシール部Ｓ，Ｓをそれぞれ構成する接合部５の平面視形状及び配置パターンと、腹側部Ａから見た一対のサイドシール部Ｓ，Ｓをそれぞれ構成する接合部５の平面視形状及び配置パターンとが左右対称になっている。このように、おむつ１Ａは、接合部５の形状や配置パターンを含めて、左右対称に形成されている。
【００１６】
接合部５について詳述すると、複数の接合部５は、おむつ１Ａの横方向Ｙに対する傾斜角度α１（図２参照）が、ウエスト開口部ＷＯ側よりもレッグ開口部ＬＯ側の方が大きいパターンで配されており、更に最もウエスト開口部ＷＯ寄りの接合部５がおむつ１Ａの横方向Ｙに略平行なパターンで配されている。ここで「略平行」とは、おむつ１Ａの横方向Ｙと同じ方向（傾斜角度α１が０°）のみならず、製造上の誤差等の観点から、横方向Ｙに対する傾斜角度α１（図２参照）が絶対値で４°以内のものも含む意味である。
【００１７】
具体的に説明すると、おむつ１Ａにおける複数の接合部５は、それぞれ、図２に示すように、長方形状であり、横方向Ｙ内方側の端部５１と横方向Ｙ外方側の端部５２とを有しており、長方形状の上側の長辺５３ｕと下側の長辺５３ｄとを有している。
上述したように、複数の接合部５の内の最もウエスト開口部ＷＯ寄りの接合部５は、横方向Ｙに略平行なパターンで配されている。言い換えれば、最もウエスト開口部ＷＯ寄りの接合部５は、２本の長辺５３ｕ，５３ｄがおむつ１Ａの横方向Ｙに延びており、該接合部５の端部５１と端部５２とは、縦方向Ｘにおいて、略同じ位置に配されている。
【００１８】
最もウエスト開口部ＷＯ寄りの接合部５を除く、残りの複数の接合部５は、最もウエスト開口部ＷＯ寄りの接合部５よりも、図２に示すように、おむつ１Ａの横方向Ｙに対する傾斜角度α１（図２参照）が、ウエスト開口部ＷＯ側からレッグ開口部ＬＯ側に向かって大きくなるパターンで配されている。ここで、複数の接合部５における横方向Ｙに対する傾斜角度α１（図２参照）は、ウエスト開口部ＷＯ側からレッグ開口部ＬＯ側に向かって、漸次大きくなるように形成していてもよく、段階的に大きくなるように形成していてもよい。尚、おむつ１Ａにおいては、図２に示すように、漸次大きくなるように形成している。言い換えれば、おむつ１Ａにおいては、図２に示すように、複数の接合部５は、傾斜角度α１（図２参照）がウエスト開口部ＷＯ側からレッグ開口部ＬＯ側に向かって次第に連続して大きくなるパターンで配されている。従って、複数の接合部５は、横方向Ｙ外方に向かって下降傾斜する２本の長辺５３ｕ，５３ｄの傾斜角度α１（図２参照）がウエスト開口部ＷＯ側からレッグ開口部ＬＯ側に向かって次第に連続して大きくなっている。このように、傾斜角度α１（図２参照）がウエスト開口部ＷＯ側からレッグ開口部ＬＯ側に向かって次第に連続して大きくなるパターンで接合部５が配されていると、一層、シートの横裂けが起こり難くなり、サイドシール部Ｓを一層スムーズに連続して引き裂くことができる効果を奏する。
【００１９】
そして、おむつ１Ａにおいては、図２に示すように、複数の接合部５の内の最もレッグ開口部ＬＯ寄りの接合部５は、２本の長辺５３ｕ，５３ｄが、傾斜角度α１が９０°となるように、即ち、おむつ１Ａの縦方向Ｘに延びており、該接合部５の端部５１と端部５２とは、横方向Ｙにおいて、略同じ位置に配されている。特に、おむつ１Ａにおいては、図２に示すように、複数の接合部５の内の最もレッグ開口部ＬＯ寄りの接合部５は、後述する複数のレッグ弾性部材２５の内の最もレッグ開口部ＬＯ寄りのレッグ弾性部材２５及び後述する複数の胴回り弾性部材２６の内の最もレッグ開口部ＬＯ寄りの胴回り弾性部材２６よりも下方の位置に配されている。
【００２０】
また、おむつ１Ａにおいては、図２に示すように、複数の接合部５とは別に、最もレッグ開口部ＬＯ寄りの接合部５から横方向Ｙ外方に該接合部５と同形同大の接合部６を有している。具体的には、おむつ１Ａの接合部６は、接合部５と同様に長方形状であり、最もレッグ開口部ＬＯ寄りの接合部５から横方向Ｙ外方に間隔を空けて配され、おむつ１Ａの縦方向Ｘに延びて形成されている。該間隔は、１ｍｍ以上５ｍｍ以下であることが好ましい。接合部６も接合部５と同様にサイドシール部Ｓを構成する部位であり、接合部５と同様にして形成されている。接合部５とは別の接合部６を設けることにより、装着中のレッグ開口部のサイドシール強度を十分に保持する効果を奏する。
【００２１】
サイドシール部Ｓを構成する複数の接合部５は、おむつ１Ａにおいては、図２に示すように、それぞれの横方向Ｙ内方側の端部５１が、横方向Ｙにおいて、略同じ位置に配されており、各端部５１が縦方向Ｘと平行な直線Ｘ’上に配されている。
【００２２】
サイドシール部Ｓを構成する複数の接合部５は、おむつ１Ａにおいては、図２に示すように、サイドシール部Ｓを横方向Ｙから側面視して、縦方向Ｘに隣り合う一方の接合部５の横方向Ｙ外方側の端部５２と他方の接合部５の横方向Ｙ内方側の端部５１との間に間隔Ｑが取られている。該間隔は、０．５ｍｍ以上４ｍｍ以下であることが好ましい。このように間隔が取られていることにより、装着中のサイドシール強度と、廃棄の際の引き裂き易さを両立する効果を奏する。
【００２３】
おむつ１Ａにおけるサイドシール部Ｓの積層構造について図３に基づき説明する。図３には、サイドシール部Ｓの近傍における腹側部Ａ及び背側部Ｂそれぞれのシートの積層構造が示されているが、サイドシール部Ｓにおける腹側部Ａ及び背側部Ｂそれぞれのシートの積層構造も、図３に示す積層構造と同じである。
図３に示すように、外装体２は、おむつ１Ａにおいては、外表面を形成する外層シート２１と、外層シート２１に隣接させて外層シート２１の肌対向面側に配された内層シート２２と、外層シート２１の上方側の折り返し部の非肌対向面側及び内層シート２２の肌面側に亘って配された補助シート２３ａ，２３ｂとを有している。外層シート２１及び内層シート２２は、それぞれ、股下部Ｃを通って腹側部Ａから背側部Ｂに亘るように配されている。補助シート２３ａ，２３ｂは、腹側部Ａ及び背側部Ｂにそれぞれ１枚ずつ配されており、いずれも吸収性本体３の縦方向の端部の肌対向面側及び該端部の上方及び側方を覆っている。
【００２４】
おむつ１Ａにおいては、サイドシール部Ｓを形成する、外装体２の腹側部Ａ及び背側部Ｂの側縁部は、図３に示すように、それぞれ外層シート２１、内層シート２２及び補助シート２３ａ（又は２３ｂ）が積層された積層シート２０ａ（又は２０ｂ）から構成されており、サイドシール部Ｓは、腹側部Ａを構成する積層シート２０ａと背側部Ｂを構成する積層シート２０ｂとを融着することにより形成されている。
【００２５】
おむつ１Ａは、ウエスト開口部ＷＯ側におむつ横方向Ｙに延びる複数のウエスト弾性部材２４を有している。即ち、おむつ１Ａの外装体２は、図２，図３に示すように、ウエスト開口部ＷＯの周縁部Ｗｅに沿っておむつ１Ａの横方向Ｙに延びる帯状の領域に、複数本のウエスト弾性部材２４を有し、複数本のウエスト弾性部材２４が、横方向Ｙに伸長した状態で外層シート２１と補助シート２３ａ，２３ｂとの間に配され固定されている。
また、おむつ１Ａは、レッグ開口部ＬＯ側にレッグ開口部ＬＯに沿って延びる複数のレッグ弾性部材２５を有している。即ち、おむつ１Ａの外装体２は、図２に示すように、レッグ開口部ＬＯの周縁部Ｌｅに沿って延びる帯状の領域に、複数本のレッグ弾性部材２５を有し、複数本のレッグ弾性部材２５が、周縁部Ｌｅに沿って伸長した状態で外層シート２１と内層シート２２との間に配され固定されている。
更に、おむつ１Ａの外装体２は、図２，図３に示すように、最も下方に位置するウエスト弾性部材２４から複数本のレッグ弾性部材２５に亘る帯状の領域に、複数本の胴回り弾性部材２６を有し、複数本の胴回り弾性部材２６が、横方向Ｙに伸長した状態で、補助シート２３ａ，２３ｂと内層シート２２との間、及び内層シート２２と外層シート２１との間に配され固定されている。
【００２６】
次に、サイドシール部Ｓを構成する複数の接合部５と外装体２を構成する弾性部材２４，２５，２６との関係について詳述すると、図２に示すように、最もウエスト開口部ＷＯ寄りの接合部５は、最もウエスト開口部ＷＯ寄りのウエスト弾性部材２４と平行に配されている。平行に配されていれば、最もウエスト開口部ＷＯ寄りの接合部５と、最もウエスト開口部ＷＯ寄りのウエスト弾性部材２４とは、互いに重なり合うように縦方向Ｘにおいて同じ位置に配されていてもよいが、おむつ１Ａにおいては、互いに間隔を取って、平行に配されている。このように間隔が取られて平行に配されていることにより、シール時に弾性体の影響を受けず、安定したサイドシール強度を得る効果を奏する。
【００２７】
また、上述したように、おむつ１Ａにおいては、複数の接合部５が、サイドシール部Ｓの縦方向Ｘの略全長に亘って等間隔に配されているが、レッグ開口部ＬＯ側の接合部５が、図２に示すように、複数のレッグ弾性部材２５と交差するように配されていてもよい。具体的には、レッグ開口部ＬＯ側の複数個の接合部５それぞれが、図２に示すように、複数のレッグ弾性部材２５それぞれに対応するように、複数のレッグ弾性部材２５それぞれと交差するように配されていてもよく、レッグ開口部ＬＯ側の複数個の接合部５の内の１つの接合部５が、複数のレッグ弾性部材２５に対応するように、複数のレッグ弾性部材２５に亘ってレッグ弾性部材２５と交差するように配されていてもよい。このように、接合部５が複数のレッグ弾性部材２５と交差するように配されていることにより、シール時にレッグ弾性部材２５に脆弱部を形成することができ、サイドシール部Ｓを一層スムーズに連続して引き裂くことができる効果を奏する。
【００２８】
また、同様の観点から、複数の接合部５それぞれが、複数の胴回り弾性部材２６及び最もウエスト開口部ＷＯ寄りのウエスト弾性部材２４を除く複数のウエスト弾性部材２４それぞれに対応するように、複数の胴回り弾性部材２６それぞれと交差するように配されていてもよく、１個の接合部５が、隣り合う複数のウエスト弾性部材２４や隣り合う複数の胴回り弾性部材２６に跨って交差するように配されていてもよい。
【００２９】
上述したおむつ１Ａの各部の形成材料について説明する。
腹側部Ａ及び背側部Ｂを構成する外装体２の外層シート２１、内層シート２２、補助シート２３ａ，２３ｂは、使い捨ておむつ等の吸収性物品に従来用いられている各種のシート材を特に制限なく用いることができるが、不織布を用いることが好ましい。不織布としては、エアースルー不織布、ヒートロール不織布、スパンレース不織布、スパンボンド不織布、メルトブローン不織布の単層の不織布又はこれらが２層以上に積層された積層不織布等が好ましい。また、外装体２の外層シート２１，内層シート２２，補助シート２３ａ，２３ｂとして、不織布とフィルムとを一体化したシート等を用いることもできる。
また、外装体２は、ポリプロピレン製の不織布を用いて形成されていることが好ましい。即ち、サイドシール部Ｓを構成する外装体２の外層シート２１、内層シート２２、及び２枚の補助シート２３ａ，２３ｂのうち、少なくとも１枚のシートは、ポリプロピレン単繊維のみから形成されたポリプロピレン製の不織布であることが好ましい。
【００３０】
ウエスト弾性部材２４、レッグ弾性部材２５及び胴回り弾性部材２６の形成素材としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。各弾性部材２４，２５，２６の形態としては、断面が矩形、正方形、円形、楕円形又は多角形状等の糸状（糸ゴム等）、若しくは紐状（平ゴム等）のもの、又はマルチフィラメントタイプの糸状のもの等を好ましく用いることができる。
各弾性部材２４，２５，２６の太さは、３１０ｄｔｅｘ以上１２４０ｄｔｅｘ以下、特に６２０ｄｔｅｘ以上９４０ｄｔｅｘ以下とすることが好ましい。
ウエスト弾性部材２４の配置間隔は、３ｍｍ以上１５ｍｍ以下、特に４ｍｍ以上１０ｍｍ以下とすることが好ましい。胴回り弾性部材２６の配置間隔は、３ｍｍ以上２０ｍｍ以下、特に４ｍｍ以上１０ｍｍ以下とすることが好ましい。
【００３１】
吸収性本体３を構成する表面シート（不図示）、裏面シート（不図示）、吸収体（不図示）、及び側方カフス形成用シート（不図示）等としては、使い捨ておむつ等の吸収性物品に従来用いられている各種のもの等を特に制限なく用いることができる。
【００３２】
上述したおむつ１Ａを使用した際の作用効果について説明する。
おむつ１Ａは、図１，図２に示すように、一対のサイドシール部Ｓ，Ｓそれぞれが縦方向Ｘに間欠的に形成された複数の接合部５を有し、複数の接合部５が、横方向Ｙに対する傾斜角度α１がウエスト開口部ＷＯ側よりもレッグ開口部ＬＯ側の方が大きいパターンで、且つ最もウエスト開口部ＷＯ寄りの接合部５が横方向Ｙに略平行なパターンで配されている。このように、おむつ１Ａには、横方向Ｙ外方に向かって上方に傾斜する接合部５が形成されておらず、ウエスト開口部ＷＯ側よりもレッグ開口部ＬＯ側の方の接合部５の傾斜角度α１が大きいパターンで形成されている。そのため、おむつ１Ａを廃棄する目的でウエスト開口部ＷＯ側からサイドシール部Ｓを引き裂いて脱がす際に、引き裂く力の向きと接合部５の傾斜角度α１とが略一致しているため、横裂けが起こり難く、サイドシール部Ｓの破断位置が、各接合部５の横方向Ｙ内方側の端部５１の位置に集中して、該端部５１を結んだラインに沿って破断が生じ易くなり、サイドシール部Ｓを容易に縦方向Ｘに連続して引き裂くことができる。
【００３３】
また、おむつ１Ａは、図１，図２に示すように、複数の接合部５の傾斜角度α１が、ウエスト開口部ＷＯ側からレッグ開口部ＬＯ側に向かって、漸次大きくなるように形成されているので、上記効果を更に奏することができる。特に、おむつ１Ａは、図１，図２に示すように、複数の接合部５が、サイドシール部Ｓを側面視して、縦方向Ｘに隣り合う一方の接合部５の横方向Ｙ外方側の端部５２と他方の接合部５の横方向Ｙ内方側の端部５１との間に間隔Ｑを取るように配されているので、装着中のサイドシール強度と、廃棄の際の引き裂き易さを両立する効果を奏することができる。
【００３４】
また、おむつ１Ａは、複数の接合部５が、超音波シールを用いて形成されているので、サイドシール部Ｓを構成する外装体２の外層シート２１、内層シート２２、及び２枚の補助シート２３ａ，２３ｂの何れもが、ポリプロピレン単繊維のみからなるポリプロピレン製の不織布（ポリプロピレン単繊維１００％）から構成されていると、該不織布の界面の剥離ではなく、該不織布の破断がおき易くなる。そのため、サイドシール部Ｓが縦方向Ｘに更に裂け易く、サイドシール部Ｓの横方向Ｙの破断位置が更にばらつき難くなる。なお、サイドシール部Ｓを構成する外装体２の外層シート２１、内層シート２２、及び２枚の補助シート２３ａ，２３ｂのうち、少なくとも１枚のシートがポリプロピレン単繊維のみからなるポリプロピレン製の不織布である場合も、同様の効果が奏される。
【００３５】
上述した効果を奏する観点から、サイドシール部Ｓの全長Ｌ（図２参照）は５０ｍｍ以上２００ｍｍ以下であることが好ましく、１００ｍｍ以上１５０ｍｍ以下であることがより好ましい。図２に示すように、サイドシール部Ｓの全長Ｌは、ウエスト開口部ＷＯの周縁部Ｗｅとレッグ開口部ＬＯの周縁部Ｌｅとの間の距離を、おむつ縦方向Ｘに沿って測定する。
また、接合部５は、その縦方向の長さＬａ（長方形の場合は長辺の長さ）と、それに直交する方向の最大幅Ｌｂ（長方形の場合は短辺の長さ）との比（Ｌａ／Ｌｂ）が、１．４以上３５以下、特に２．８以上１５以下であることが好ましい。また、接合部５の全長Ｌａは、２．８ｍｍ以上１４ｍｍ以下、特に２．８ｍｍ以上６ｍｍ以下であることが好ましく、接合部５の最大幅Ｌｂは、０．４ｍｍ以上２ｍｍ以下、特に０．４ｍｍ以上１ｍｍ以下であることが好ましい。
また、接合部５の、おむつ縦方向ＸのピッチＰ（対応する部位間の距離，図２参照）は、１．５ｍｍ以上４．５ｍｍ以下、特に３ｍｍ以上４ｍｍ以下であることが好ましく、前記全長Ｌａの５０％以上１５０％以下、特に１００％以上１３０％以下であることが好ましい。
また、接合部５は、サイドシール部Ｓの縦方向Ｘに、１０個以上２２０個以下、特に２５個以上５０個以下配されていることが好ましい。
【００３６】
次に、本発明の第２〜３実施形態のおむつについて、図４〜図５に基づいて説明する。
第２〜３実施形態のおむつ１Ｂ〜１Ｃ（以下、「おむつ１Ｂ〜１Ｃ」ともいう）については、第１実施形態のおむつ１Ａと異なる点について説明する。特に説明しない点は、おむつ１Ａと同様であり、おむつ１Ａの説明が適宜適用される。
【００３７】
第２実施形態のおむつ１Ｂは、第１実施形態のおむつ１Ａにおいて、サイドシール部Ｓにおける接合部５の配置パターンを、図４に示す配置パターンに置き換えたものである。サイドシール部Ｓを形成する接合部５は、おむつ１Ｂにおいては、おむつ１Ａと同様に、その形状が長方形状である。おむつ１Ｂにおいても、おむつ１Ａと同様に、長方形状の同形同大の複数の接合部５が、サイドシール部Ｓの縦方向Ｘの略全長に亘って等間隔に配されている。
【００３８】
第２実施形態のおむつ１Ｂにおける複数の接合部５は、図４に示すように、おむつ１Ｂの横方向Ｙ内方側の端部５１が、ウエスト開口部ＷＯ側からレッグ開口部ＬＯ側に向かって、おむつ１Ｂの縦方向Ｘに対して横方向Ｙ外方に広がるように傾斜した仮想直線ＬＡ上に並んでいる。ここで、図４中の直線Ｘ’は、おむつ１Ｂの縦方向Ｘ、特におむつ１Ｂを横方向Ｙに２等分するおむつ１Ｂの縦方向Ｘに沿って延びるおむつ縦方向Ｘ中央線と平行な直線である。仮想直線ＬＡは、直線Ｘ’に対して傾斜角度α２で傾斜している。第２実施形態のおむつ１Ｂにおいては、サイドシール部Ｓを形成する総ての接合部５は、おむつ１Ｂ横方向Ｙ内方側の端部５１が、仮想直線ＬＡ上に並んでいる。この傾斜角度α２（図４参照）は、１°以上２０°以下、特に５°以上１０°以下であることが好ましい。尚、接合部５の端部５１の位置は、おむつ１Ｂのウエスト弾性部材２４、レッグ弾性部材２５及び胴回り弾性部材２６それぞれを伸長させた状態において、このおむつ１Ｂの縦方向Ｘ中央線からの距離を基準に判断することが好ましい。
【００３９】
上述したおむつ１Ｂを使用した際の作用効果について説明する。
おむつ１Ｂの効果については、おむつ１Ａの効果と異なる点について説明する。特に説明しない点は、おむつ１Ａの効果と同様であり、おむつ１Ａの効果の説明が適宜適用される。
【００４０】
おむつ１Ｂは、図４に示すように、おむつ１Ａと同様に、横方向Ｙ外方に向かって上方に傾斜する接合部５が形成されておらず、ウエスト開口部ＷＯ側よりもレッグ開口部ＬＯ側の方の接合部５の傾斜角度α１が大きいパターンで形成されている。そして、おむつ１Ｂは、図４に示すように、各接合部５の端部５１の位置が、おむつ１Ｂの縦方向Ｘに対して傾斜した直線ＬＡ上に並んでいる。その為、一層、シートの横裂けが起こり難くなり、サイドシール部Ｓを一層スムーズに連続して引き裂くことが可能となる。
【００４１】
次に、第３実施形態のおむつ１Ｃは、第１実施形態のおむつ１Ａにおいて、サイドシール部Ｓにおける接合部５の形状及び配置パターンを、図５に示すように置き換えたものである。おむつ１Ｃにおいては、三角形状の同形同大の複数の接合部５が、サイドシール部Ｓの縦方向Ｘの略全長に亘って等間隔に配されている。
【００４２】
第３実施形態のおむつ１Ｃにおける複数の接合部５は、図５に示すように、それぞれ、同じ面積の三角形状である。三角形状のおむつ１Ｃの接合部５は、その２辺５４ｕ，５４ｄが鋭角の角部を形成しており、該角部の先端が、おむつ横方向Ｙ内方側の端部５１となっている。おむつ１Ｃの複数の接合部５は、三角形状の１辺５４ｕとおむつ横方向Ｙとの傾斜角度α１（図５参照）がウエスト開口部ＷＯ側からレッグ開口部ＬＯ側に向かって次第に連続して大きくなっており、それに伴い三角形状の１辺５４ｄも、それぞれ、次第に下降するように傾斜している。尚、三角形状の接合部５の残りの１辺５４ｓは、おむつ縦方向Ｘと平行である。
【００４３】
複数の三角形状の接合部５は、おむつ１Ｃにおいては、図５に示すように、サイドシール部Ｓを横方向Ｙから側面視して、縦方向Ｘに隣り合う一方の接合部５の横方向Ｙ外方側の端部５２と他方の接合部５の横方向Ｙ内方側の端部５１とが重なるように配されている。
【００４４】
第３実施形態のおむつ１Ｃにおける複数の接合部５は、図５に示すように、おむつ１Ｃの横方向Ｙ内方側の端部５１が、ウエスト開口部ＷＯ側からレッグ開口部ＬＯ側に向かって、おむつ１Ｃの縦方向Ｘに対して横方向Ｙ外方に広がるように傾斜した仮想直線ＬＡ上に並んでいる。ここで、図５中の直線Ｘ’は、おむつ１Ｃの縦方向Ｘ、特におむつ１Ｃを横方向Ｙに２等分するおむつ１Ｃの縦方向Ｘに沿って延びるおむつ縦方向Ｘ中央線と平行な直線である。仮想直線ＬＡは、直線Ｘ’に対して傾斜角度α２で傾斜している。第３実施形態のおむつ１Ｃにおいては、サイドシール部Ｓを形成する総ての接合部５は、おむつ１Ｃの横方向Ｙ内方側の端部５１が、仮想直線ＬＡ上に並んでいる。この傾斜角度α２（図５参照）は、１°以上２０°以下、特に５°以上１０°以下であることが好ましい。尚、接合部５の端部５１の位置は、おむつ１Ｃのウエスト弾性部材２４、レッグ弾性部材２５及び胴回り弾性部材２６それぞれを伸長させた状態において、このおむつ１Ｃの縦方向Ｘ中央線からの距離を基準に判断することが好ましい。
【００４５】
上述したおむつ１Ｃを使用した際の作用効果について説明する。
おむつ１Ｃの効果については、おむつ１Ａの効果と異なる点について説明する。特に説明しない点は、おむつ１Ａの効果と同様であり、おむつ１Ａの効果の説明が適宜適用される。
【００４６】
おむつ１Ｃは、図５に示すように、おむつ１Ａと同様に、横方向Ｙ外方に向かって上方に傾斜する接合部５が形成されておらず、ウエスト開口部ＷＯ側よりもレッグ開口部ＬＯ側の方の接合部５の傾斜角度α１が大きいパターンで形成されている。そして、おむつ１Ｃは、図５に示すように、各接合部５の形状が三角形状であり、三角形状の各接合部５の鋭角の角部（端部５１）先端が、おむつ１Ｃの縦方向Ｘに対して傾斜した直線ＬＡ上に並んでいる。その為、一層、シートの横裂けが起こり難くなり、サイドシール部Ｓを一層スムーズに連続して引き裂くことが可能となる。
【００４７】
また、おむつ１Ｃは、図５に示すように、サイドシール部Ｓを横方向Ｙから側面視して、縦方向Ｘに隣り合う接合部５，５の端部５１，５２どうしが重なるように配されているので、シール時にレッグ弾性部材２５及び胴回り弾性部材２６に脆弱部を形成することができ、サイドシール部Ｓを一層スムーズに連続して引き裂くことができる効果を奏する。
【００４８】
本発明のパンツ型吸収性物品は、上述の第１実施形態のおむつ１Ａ、第２実施形態のおむつ１Ｂ及び第３実施形態のおむつ１Ｃに何ら制限されるものではなく、適宜変更可能である。また、上述の第１〜第３実施形態のおむつ１Ａ〜１Ｃにおける各構成要件は、本発明の趣旨を損なわない範囲で、適宜組み合わせて実施できる。
【００４９】
例えば、上述の第１〜第３実施形態のおむつ１Ａ〜１Ｃのサイドシール部Ｓにおいては、図２，図４，図５に示すように、同形同大の長方形状又は同形同大の三角形状の複数の接合部５が、サイドシール部Ｓの縦方向Ｘの略全長に亘って等間隔に配されて形成されているが、同形同大の接合部５でなくてもよく、等間隔に配されてなくてもよい。
【００５０】
また、上述の第１〜第３実施形態のおむつ１Ａ〜１Ｃのサイドシール部Ｓは、図２，図４，図５に示すように、長方形状又は三角形状の接合部５により形成されているが、長方形状又は三角形状でなくてもよく、例えば楕円形状であってもよい。尚、接合部５の形状が楕円形状である場合、楕円形状の長軸が傾斜角度α１となるパターンで接合部５を配すればよい。
【００５１】
また、上述の第１〜第３実施形態のおむつ１Ａ〜１Ｃのサイドシール部Ｓにおいては、図２，図４，図５に示すように、外装体２の腹側部Ａの両側部と外装体２の背側部Ｂの両側部とが合掌状に接合されて形成されているが、合掌状に接合されてなくてもよく、単に重なり合って形成されていてもよい。
【００５２】
また、パンツ型吸収性物品は、幼児又は成人用のパンツ型使い捨ておむつの他、パンツ型（ショーツ型）の生理用ナプキン等であってもよい。
【００５３】
上述した実施形態に関し、さらに以下のパンツ型吸収性物品を開示する。
＜１＞外装体と、該外装体の内側に固定されている吸収性本体とを具備し、前記外装体は装着時に着用者の腹側に配される腹側部と装着時に着用者の背側に配される背側部とを有し、前記腹側部及び前記背側部それぞれの両側縁部が接合され、一対のサイドシール部が形成されるとともに、ウエスト開口部及び一対のレッグ開口部が形成されたパンツ型吸収性物品であって、
一対の前記サイドシール部それぞれは、前記パンツ型吸収性物品の縦方向に間欠的に形成された複数の接合部を有し、
複数の前記接合部は、前記パンツ型吸収性物品の横方向に対する傾斜角度が前記ウエスト開口部側よりも前記レッグ開口部側の方が大きいパターンで、且つ最も前記ウエスト開口部寄りの前記接合部が前記パンツ型吸収性物品の横方向に略平行なパターンで配されているパンツ型吸収性物品。
＜２＞一対の前記サイドシール部は、前記外装体の腹側部の両側部と前記外装体の背側部の両側部とが合掌状に接合されて形成されている前記＜１＞に記載のパンツ型吸収性物品。
＜３＞複数の前記接合部は、パンツ型吸収性物品の縦方向に間隔を置いて配されている前記＜１＞又は＜２＞に記載のパンツ型吸収性物品。
＜４＞複数の前記接合部が、サイドシール部の縦方向の略全長に亘って等間隔に配されている前記＜３＞に記載のパンツ型吸収性物品。
＜５＞前記腹側部から見た一対の前記サイドシール部をそれぞれ構成する前記接合部の平面視形状及び配置パターンとが左右対称になっている前記＜１＞ないし＜４＞のいずれか１に記載のパンツ型吸収性物品。
＜６＞前記パンツ型吸収性物品は、前記接合部の形状や配置パターンを含めて、左右対称に形成されている前記＜５＞に記載のパンツ型吸収性物品。
＜７＞最も前記ウエスト開口部寄りの前記接合部がパンツ型吸収性物品の横方向と同じ方向で配されている前記＜１＞ないし＜６＞のいずれか１に記載のパンツ型吸収性物品。
＜８＞複数の前記接合部における横方向に対する前記傾斜角度は、前記ウエスト開口部側から前記レッグ開口部側に向かって、漸次大きくなるように形成している前記＜１＞ないし＜７＞のいずれか１に記載のパンツ型吸収性物品。
＜９＞複数の前記接合部における横方向に対する前記傾斜角度は、前記ウエスト開口部側から前記レッグ開口部側に向かって、段階的に大きくなるように形成している前記＜１＞ないし＜７＞のいずれか１に記載のパンツ型吸収性物品。
＜１０＞複数の前記接合部の内の最も前記レッグ開口部寄りの該接合部は、前記傾斜角度が９０°となるように２本の長辺が配されている前記＜１＞ないし＜９＞のいずれか１に記載のパンツ型吸収性物品。
【００５４】
＜１１＞複数の前記接合部は、前記傾斜角度が前記ウエスト開口部側から前記レッグ開口部側に向かって次第に連続して大きくなるパターンで配されている前記＜１＞ないし＜１０＞のいずれか１に記載のパンツ型吸収性物品。
＜１２＞前記ウエスト開口部側に前記パンツ型吸収性物品の横方向に延びる複数のウエスト弾性部材を有し、
最も前記ウエスト開口部寄りの前記接合部が、最も前記ウエスト開口部寄りの前記ウエスト弾性部材と平行に配されている前記＜１＞ないし＜１１＞のいずれか１に記載のパンツ型吸収性物品。
＜１３＞前記レッグ開口部側に該レッグ開口部に沿って延びる複数のレッグ弾性部材を有し、
前記レッグ開口部側の前記接合部が、複数の前記レッグ弾性部材と交差するように配されている前記＜１＞ないし＜１２＞の何れか１に記載のパンツ型吸収性物品。
＜１４＞複数の前記接合部は、前記パンツ型吸収性物品の横方向内方側の端部が、前記ウエスト開口部側から前記レッグ開口部側に向かって、前記パンツ型吸収性物品の縦方向に対して横方向外方に広がるように傾斜した仮想直線上に並んでいる前記＜１＞ないし＜１３＞の何れか１に記載のパンツ型吸収性物品。
＜１５＞複数の前記接合部は、長方形状である前記＜１＞ないし＜１４＞の何れか１に記載のパンツ型吸収性物品。
＜１６＞複数の前記接合部は、それぞれ、同じ面積の三角形状である前記＜１＞ないし＜１４＞の何れか１に記載のパンツ型吸収性物品。
＜１７＞複数の前記接合部は、その２辺が鋭角の角部を形成しており、該角部の先端が、おむつ横方向内方側の端部となっている前記＜１＞ないし＜１４＞の何れか１に記載のパンツ型吸収性物品。
＜１８＞前記外装体として、不織布を用い、該不織布として、エアースルー不織布、ヒートロール不織布、スパンレース不織布、スパンボンド不織布、メルトブローン不織布の単層の不織布又はこれらが２層以上に積層された積層不織布を用いている前記＜１＞ないし＜１７＞の何れか１に記載のパンツ型吸収性物品。
＜１９＞前記サイドシール部を構成する前記外装体の外層シート、内層シート、及び２枚の補助シートのうち、少なくとも１枚のシートは、ポリプロピレン単繊維のみから形成されたポリプロピレン製の不織布である前記＜１＞ないし＜１８＞の何れか１に記載のパンツ型吸収性物品。
【００５５】
＜２０＞前記外装体は、ポリプロピレン製の不織布を用いて形成されている前記＜１＞ないし＜１９＞の何れか１に記載のパンツ型吸収性物品。
＜２１＞複数の前記接合部は、前記外装体の腹側部及び背側部それぞれの側部どうしを重ねて、超音波シールや熱シールを施す凸部によって加圧されて形成されている前記＜１＞ないし＜２０＞の何れか１に記載のパンツ型吸収性物品。
＜２２＞複数の前記接合部は、それぞれ、超音波シールを用いて形成されている前記＜１＞ないし＜２１＞の何れか１に記載のパンツ型吸収性物品。
＜２３＞前記レッグ開口部側に該レッグ開口部に沿って延びる複数のレッグ弾性部材と、前記ウエスト開口部側に前記パンツ型吸収性物品の横方向に延びる複数のウエスト弾性部材と、最も下方に位置する該ウエスト弾性部材から複数本の該レッグ弾性部材に亘る帯状の領域に複数本の胴回り弾性部材とを有し、複数の前記接合部の内の最も前記レッグ開口部寄りの接合部は、該レッグ弾性部材の内の最も該レッグ開口部寄りのレッグ弾性部材及び複数の該胴回り弾性部材の内の最も該レッグ開口部寄りの胴回り弾性部材よりも下方の位置に配されている前記＜１＞ないし＜２２＞の何れか１に記載のパンツ型吸収性物品。
＜２４＞前記外装体は、前記ウエスト開口部の周縁部に沿って前記パンツ型吸収性物品の横方向に延びる帯状の領域に、複数本のウエスト弾性部材を有し、複数本の該ウエスト弾性部材が、前記パンツ型吸収性物品の横方向に伸長した状態で該外層シートと補助シートとの間に配され固定されている前記＜１＞ないし＜２２＞の何れか１に記載のパンツ型吸収性物品。
＜２５＞前記レッグ開口部側に該レッグ開口部に沿って延びる複数のレッグ弾性部材を有し、前記レッグ開口部側の前記接合部が、前記レッグ弾性部材と交差するように配されている前記＜１＞ないし＜２２＞の何れか１に記載のパンツ型吸収性物品。
＜２６＞前記レッグ開口部側に該レッグ開口部に沿って延びる複数のレッグ弾性部材を有し、前記レッグ開口部側の複数個の前記接合部それぞれが、複数の前記レッグ弾性部材それぞれに対応するように、複数の該レッグ弾性部材それぞれと交差するように配されている前記＜１＞ないし＜２２＞の何れか１に記載のパンツ型吸収性物品。
＜２７＞前記レッグ開口部側に該レッグ開口部に沿って延びる複数のレッグ弾性部材を有し、前記レッグ開口部側の複数個の前記接合部の内の１つの接合部が、複数の前記レッグ弾性部材に対応するように、複数の該レッグ弾性部材に亘って該レッグ弾性部材と交差するように配されている前記＜１＞ないし＜２２＞の何れか１に記載のパンツ型吸収性物品。
＜２８＞前記レッグ開口部側に該レッグ開口部に沿って延びる複数のレッグ弾性部材と、前記ウエスト開口部側に前記パンツ型吸収性物品の横方向に延びる複数のウエスト弾性部材と、最も下方に位置する該ウエスト弾性部材から複数本の該レッグ弾性部材に亘る帯状の領域に複数本の胴回り弾性部材とを有し、複数の前記接合部それぞれが、複数の該胴回り弾性部材及び最も該ウエスト開口部寄りの該ウエスト弾性部材を除く複数のウエスト弾性部材それぞれに対応するように、複数の該胴回り弾性部材それぞれと交差するように配されている前記＜１＞ないし＜２２＞の何れか１に記載のパンツ型吸収性物品。
＜２９＞前記レッグ開口部側に該レッグ開口部に沿って延びる複数のレッグ弾性部材と、前記ウエスト開口部側に前記パンツ型吸収性物品の横方向に延びる複数のウエスト弾性部材と、最も下方に位置する該ウエスト弾性部材から複数本の該レッグ弾性部材に亘る帯状の領域に複数本の胴回り弾性部材とを有し、複数の前記接合部の内の１個の接合部が、隣り合う複数の該ウエスト弾性部材や隣り合う複数の該胴回り弾性部材に跨って交差するように配されている前記＜１＞ないし＜２２＞の何れか１に記載のパンツ型吸収性物品。
【符号の説明】
【００５６】
１Ａ，１Ｂ，１Ｃ  使い捨ておむつ（パンツ型吸収性物品）
２  外装体
２１  外層シート
２２  内層シート
２３ａ，２３ｂ  補助シート
２４  ウエスト弾性部材
２５  レッグ弾性部材
２６  胴回り弾性部材
３  吸収性本体
５  接合部
５１  接合部における横方向内方側の端部
５２  接合部における横方向外方側の端部
５３ｕ，５３ｄ  長方形状の接合部の長辺
５４ｕ，５４ｄ，５４ｓ  三角形状の接合部の辺
６  接合部
ＷＯ  ウエスト開口部
Ｗｅ  周縁部
ＬＯ  レッグ開口部
Ｌｅ  周縁部
Ｓ  サイドシール部
Ａ  腹側部、Ｂ  背側部、Ｃ  股下部
【図１】
0005973226.tif 000002
【図２】
0005973226.tif 000003
【図３】
0005973226.tif 000004
【図４】
0005973226.tif 000005
【図５】
0005973226.tif 000006